(57)【要約】【課題】ユーザが次に切り換えて視聴する可能性の高いコンテンツを予め選択して或る段階までの再生処理（待機再生処理）を実行させておくのにあたって、ＧＵＩ画面上でチャンネル選択・決定操作を行えるようにされた環境に対応して適切なコンテンツが待機再生処理対象として選択されるようにする。【解決手段】チャネル受信選局から或る段階の再生処理段階までを実行可能な受信再生処理系を２系統備える。そして、操作画面上で選択対象となっている番組（選択対象番組）が変更されるのに応じては、２系統の受信再生処理系のうちで、現在の再生出力に使用していない方の受信再生処理系により選択対象番組を受信させ再生処理を実行させておく。そして、実際に、この選択対象番組の視聴に切り換える操作が行われた場合には、待機再生処理の出力を、以降の再生出力処理系に出力させるようにして信号切り換えを行う。【選択図】図３
2009005233.tif 000002
【特許請求の範囲】
【請求項１】
複数の異なるコンテンツを同時的に送出可能なコンテンツ送出源から送出されるコンテンツを受信可能とされるとともに、受信したコンテンツの１つを対象として所定段階までの再生処理を実行するようにされた複数の再生処理手段と、
上記複数の再生処理手段による再生処理を経て出力されるコンテンツのうちから、実際に再生出力させるべき１つのコンテンツを選択して出力するコンテンツ出力手段と、
上記コンテンツ送出源から送出可能とされているコンテンツのうちから、１つのコンテンツを選択する結果となる選択操作と、選択中にあるコンテンツの再生出力を指定する結果となる決定操作とを少なくとも可能とする操作画面を表示出力させるための制御を実行する操作画面表示制御手段と、
上記操作画面に対する上記選択操作によりコンテンツが新たに選択されたことに応じて、上記複数の再生処理手段から選択した１つの再生処理手段により、新たに選択されたコンテンツを基準にして所定規則に従って指定したコンテンツについての再生処理である待機再生処理を開始させる、再生処理制御手段と、
上記操作画面に対して上記決定操作が行われたときに、この決定操作により再生出力が指定されたコンテンツについての上記待機再生処理を実行中の再生処理手段がある場合には、この再生処理手段の再生処理を経たコンテンツが実際に再生出力されるようにして上記コンテンツ出力手段を制御する、出力切換制御手段と、
を備えることを特徴とするコンテンツ再生装置。
【請求項２】
上記再生処理制御手段は、上記操作画面に対して、上記コンテンツ送出源より送出可能なコンテンツのうち、現在時刻では送出を行わないコンテンツの選択操作が新たに行われた場合に応じては、上記待機再生処理を上記再生処理手段に開始させない、
ことを特徴とする請求項１に記載のコンテンツ再生装置。
【請求項３】
複数の異なるコンテンツを同時的に送出可能なコンテンツ送出源から送出されたコンテンツを受信し、受信したコンテンツの１つを対象として所定段階までの再生処理を実行するようにされた複数の再生処理手段による再生処理を経て出力されるコンテンツのうちから、実際に再生出力させるべき１つのコンテンツを選択して出力するコンテンツ出力手順と、
上記コンテンツ送出源から送出可能とされているコンテンツのうちから、１つのコンテンツを選択する結果となる選択操作と、選択中にあるコンテンツの再生出力を指定する結果となる決定操作とを少なくとも可能とする操作画面を表示出力させるための制御を実行する操作画面表示制御手順と、
上記操作画面に対する上記選択操作によりコンテンツが新たに選択されたことに応じて、上記複数の再生処理手段から選択した１つの再生処理手段により、新たに選択されたコンテンツを基準にして所定規則に従って指定したコンテンツについての再生処理である待機再生処理を開始させる、再生処理制御手順と、
上記操作画面に対して上記決定操作が行われたときに、この決定操作により再生出力が指定されたコンテンツについての上記待機再生処理を実行中の再生処理手段がある場合には、上記コンテンツ出力手順により、この再生処理手段の再生処理を経たコンテンツが実際に再生出力されるようにして制御する、出力切換制御手順と、
を備えることを特徴とするコンテンツ再生方法。
【請求項４】
複数の異なるコンテンツを同時的に送出可能なコンテンツ送出源から送出されたコンテンツを受信し、受信したコンテンツの１つを対象として所定段階までの再生処理を実行するようにされた複数の再生処理手段による再生処理を経て出力されるコンテンツのうちから、実際に再生出力させるべき１つのコンテンツを選択して出力するコンテンツ出力手順と、
上記コンテンツ送出源から送出可能とされているコンテンツのうちから、１つのコンテンツを選択する結果となる選択操作と、選択中にあるコンテンツの再生出力を指定する結果となる決定操作とを少なくとも可能とする操作画面を表示出力させるための制御を実行する操作画面表示制御手順と、
上記操作画面に対する上記選択操作によりコンテンツが新たに選択されたことに応じて、上記複数の再生処理手段から選択した１つの再生処理手段により、新たに選択されたコンテンツを基準にして所定規則に従って指定したコンテンツについての再生処理である待機再生処理を開始させる、再生処理制御手順と、
上記操作画面に対して上記決定操作が行われたときに、この決定操作により再生出力が指定されたコンテンツについての上記待機再生処理を実行中の再生処理手段がある場合には、上記コンテンツ出力手順により、この再生処理手段の再生処理を経て出力されるコンテンツが実際に再生出力されるようにして制御する、出力切換制御手順と、
をコンテンツ再生装置に実行させるプログラム。
【発明の詳細な説明】
【技術分野】
【０００１】
本発明は、例えば、コンテンツを成す信号・データなどを受信して再生処理を施して出力するコンテンツ再生装置と、このコンテンツ再生装置におけるコンテンツ再生方法に関する。また、このようなコンテンツ再生装置が実行するプログラムに関する。
【背景技術】
【０００２】
現在、テレビジョン放送としては、デジタル衛星放送、地上デジタル放送などのデジタル放送が行われており、これに対応してデジタル放送を受信可能に構成されたチューナ、テレビジョン受像機などのデジタル放送受信装置が普及している。
【０００３】
また、テレビジョン放送受信装置にあって、受信選局すべきチャンネル（放送局）の選択操作としては、以前から、テレビジョン放送受信装置本体、若しくはリモートコントローラなどに備えられる操作子に対する操作により、チャンネル番号を直接的に指定したり、あるいは、チャンネル番号を１つずつ送る、あるいは戻すようにして指定することが行われている。
これに対して、最近のテレビジョン放送受信装置では、チャンネル選択機能を有するユーザインターフェイス画像(チャンネル選択画像)を表示させ、このチャンネル選択画像に対する操作によりチャンネル選択が行えるようにしたものも知られるようになってきている。
【０００４】
また、デジタルテレビジョン放送受信装置にあっては、所望のチャンネルのコンテンツを受信して再生出力するまでの処理をデジタル信号処理により行うようにされるが、この過程においては或る程度の処理遅延が発生する。このために、例えばチャンネルを切り換える操作に応じて、指定された新たなチャンネルのデータを受信取得してデコード処理を開始させることとしていた場合には、チャンネル切り換え後の画像が実際に表示出力されるまでの間に相応の遅延が生じることとなり、これが問題となっていた。
そこで、例えば特許文献１に記載されるようにして、現在表示出力中のチャンネル以外で、或る所定の規則に従って選択したチャンネル(先行デコードチャンネル)のデータを受信信号から分離抽出して予めデコードしておき、この先行デコードチャンネルを選択する操作が行われたのであれば、このデコードしていたデータを再生出力させるようにした構成が提案されている。この場合には、チャンネル切り換え操作の以前からデコード出力が行われていることから、チャンネル切り換え操作に応じて即座に新たなチャンネルの画像を表示出力させることが可能になる。
【０００５】
【特許文献１】特開２００３−２７４３０４号公報
【発明の開示】
【発明が解決しようとする課題】
【０００６】
例えば、上記特許文献１では、先行デコードチャンネルを決定するときの規則として、現在表示出力中のチャンネルに対して前後となる番号のチャンネルを先行デコードチャンネルとすることが記載されている。
このような先行デコードチャンネルの決定規則は、順送り選局キーに対する操作など、操作子(キー)に対する操作そのものが、チャンネル番号を指定するものとなるような場合には有効である。しかしながら、例えば先にも述べたような、ＧＵＩ(Graphical User Interface)によりチャンネル切り替え操作を行うような場合には、上記したような先行デコードチャンネルの決定規則のままでは対応することが難しい。換言すれば、例えばコンテンツを選択的に受信して再生出力するようにされたコンテンツ再生装置にあっては、そのＧＵＩが要求する操作態様に応じて、より適切に、上記先行デコードチャンネルに相当するコンテンツが決定されるようにすることが求められるといえる。
【課題を解決するための手段】
【０００７】
そこで本発明は上記した課題を考慮して、コンテンツ再生装置として次のように構成する。
つまり、複数の異なるコンテンツを同時的に送出可能なコンテンツ送出源から送出されるコンテンツを受信可能とされるとともに、受信したコンテンツの１つを対象として所定段階までの再生処理を実行するようにされた複数の再生処理手段と、上記複数の再生処理手段による再生処理を経て出力されるコンテンツのうちから、実際に再生出力させるべき１つのコンテンツを選択して出力するコンテンツ出力手段と、上記コンテンツ送出源から送出可能とされているコンテンツのうちから、１つのコンテンツを選択する結果となる選択操作と、選択中にあるコンテンツの再生出力を指定する結果となる決定操作とを少なくとも可能とする操作画面を表示出力させるための制御を実行する操作画面表示制御手段と、上記操作画面に対する上記選択操作によりコンテンツが新たに選択されたことに応じて、上記複数の再生処理手段から選択した１つの再生処理手段により、新たに選択されたコンテンツを基準にして所定規則に従って指定したコンテンツについての再生処理である待機再生処理を開始させる再生処理制御手段と、上記操作画面に対して上記決定操作が行われたときに、この決定操作により再生出力が指定されたコンテンツについての上記待機再生処理を実行中の再生処理手段がある場合には、この再生処理手段の再生処理を経て出力されるコンテンツが実際に再生出力されるようにして上記コンテンツ出力手段を制御する出力切換制御手段とを備えることとした。
【０００８】
上記構成によるコンテンツ再生装置では、先ず、コンテンツ送出源から送出可能とされているコンテンツのうちから、１つのコンテンツを選択する選択操作と、選択中にあるコンテンツの再生出力を指定するための決定操作とが可能とされた操作画面を表示出力することが可能とされている。
そのうえで、上記操作画面に対して選択操作が行われたことにより、新たにコンテンツが選択されたことに応じては、この新たに選択されたコンテンツを基準にして所定規則に従ってコンテンツを指定するようにされる。これが、上記の先行デコードチャンネルに対応したコンテンツとなる。そして、このようにして指定されたコンテンツについて、所定段階までの再生処理を行っておくようにされる。そして、この所定段階までの再生処理の対象となったコンテンツの選択を決定する決定操作が行われたときには、この所定段階までの再生処理中にあったコンテンツを出力することになる。これにより、このコンテンツは、決定操作に応じたタイミングで、即座に、画像音声として再生出力されることになる。
【発明の効果】
【０００９】
即ち、本願発明では、コンテンツの選択操作・決定操作が可能とされるように構成された操作画面に対する選択操作に対応して、先行して再生出力のため処理を行っておくべきコンテンツが適切に決定（指定）されるものである。そして、これにより、コンテンツの選択・決定のための操作画面に対してコンテンツの決定操作を行ったときには、この操作に応じて即座にコンテンツの再生出力が開始されることになるものであり、ユーザが不快感やストレスを感じることはなく、コンテンツ選択・決定操作に関して快適な操作感を提供できることになる。
【発明を実施するための最良の形態】
【００１０】
以下、本願発明を実施するための最良の形態（以下、実施の形態という）について説明することとし、先ず、第１の実施の形態について説明する。この第１の実施の形態としては、地上デジタル放送に対応した放送受信装置（デジタル放送受信装置１）に対して本願発明を適用している。地上デジタル放送をはじめ、放送波を送出する側のシステムは、異なるチャンネルごとの複数のコンテンツを同時的に送出することのできるコンテンツの送出源であると見ることができる。
【００１１】
図１は、第１の実施の形態としてのデジタル放送受信装置１の構成例を示している。
この図に示されるデジタル放送受信装置１に対してはアンテナ２を接続している。このアンテナ２は、地上デジタル放送に対応して例えばＵＨＦ(Ultra-High Frequency)アンテナとされる。アンテナ２では、地上デジタル放送の放送波を受信し、これにより得られた受信信号を、デジタル放送受信装置１内の第１受信再生処理系２３、第２受信再生処理系２４に対して分岐して出力する。
【００１２】
先ず、第１受信再生処理系２３は、図示するようにして、チューナ３ａ、復調器４ａ、デスクランブラ５ａ、デマルチプレクサ６ａ、及びバッファ７ａを備えて成る。
チューナ３ａは、ＣＰＵ１３の制御に応じて、入力された受信信号から指定されたチャンネルに対応するキャリア信号を抽出し、復調器４ａに出力する。復調器４ａにおいては、入力信号を例えばデジタル信号に変換したうえで、キャリア復調に対応する復調処理、及び誤り訂正処理などをはじめとする処理を施して、例えばＴＳ（Transport Stream）に対応した形式の信号を得る。
【００１３】
この場合におけるＴＳとしては、例えばＭＰＥＧ２(Moving Picture Experts Group Layer2)方式によって、選局されたチャンネルのコンテンツ（番組）についての圧縮ビデオ信号、圧縮オーディオ信号と、各種の付加情報が多重化されているものとなる。また、必要に応じて字幕放送用データなども多重化されている。
【００１４】
上記のようにして得られたＴＳとしての信号は、放送局側からの送出時においてスクランブル処理が施されている場合には、デスクランブラ５ａにより、このスクランブルを解くためのデスクランブル処理が施されたうえで、デマルチプレクサ６ａに対して出力される。
【００１５】
デマルチプレクサ６ａは、入力されたＴＳについて、データ種別ごとに抽出分離を行う。つまり、ＴＳからは、先ず、圧縮ビデオ信号と、この圧縮ビデオ信号とともに同期して再生されるべき圧縮オーディオ信号と、各種の付加情報とに分離する。さらに、字幕放送用データなども多重化されていた場合には、これらのデータについても分離抽出して取得するようにされる。
なお、デマルチプレクサ６ａは、上記の抽出分離処理を行って得られた圧縮ビデオ信号、圧縮オーディオ信号（及び字幕放送用データ）などを、逐次、バッファ７ａに転送して一時的に蓄積（バッファリング）するようにされる。そして、例えば再生時間などを考慮した所定のタイミングで、これらの蓄積された圧縮ビデオ信号、圧縮オーディオ信号（及び字幕放送用データ）を、例えば所定の再生単位に対応する一定量ずつ読み出すようにして後段に出力するようにされている。
【００１６】
そして、上記のようにしてデマルチプレクサ６ａにより分離抽出された圧縮ビデオ信号、圧縮オーディオ信号、及び字幕放送用データについては、後述するようにして、それぞれ、信号切換部２０内のスイッチ部２０ａ、２０ｂ、２０ｃにおける所定の端子に対して出力するようにされる。そして、これらスイッチ部２０ａ、２０ｂ、２０ｃのそれぞれにおいて所定の端子接続状態が得られることに応じて、これらの圧縮ビデオ信号、圧縮オーディオ信号、及び字幕放送用データは、それぞれ、映像デコーダ８、音声デコーダ９、及び字幕デコーダ１０に対して入力されるようになっている。また、デマルチプレクサ６ａにて得られた各種の付加情報は、例えばＣＰＵ１３が取り込み、必要に応じてＲＡＭ１６に保持させたうえで、所定の制御、処理の実行時に利用するようにされる。
【００１７】
第２受信再生処理系２４は、チューナ３ｂ、復調器４ｂ、デスクランブラ５ａ、デマルチプレクサ６ｂ、バッファ７ａの各部を備えて構成される。これらの部位の動作としては、上記第１受信再生処理系におけるチューナ３ａ、復調器４ａ、デスクランブラ５ａ、デマルチプレクサ６ａ、及びバッファ７ａと同様となることからここでの説明は省略する。
【００１８】
信号切換部２０内のスイッチ部２０ａ、２０ｂ、２０ｃは、それぞれ端子ｔ１、端子ｔ２、端子ｔ３を備え、端子ｔ３に対して端子ｔ１、ｔ２の何れかが択一的に接続されるようにして切り換えが行われる。また、このような端子切り換えの動作は、ＣＰＵ１３の制御により、スイッチ部２０ａ、２０ｂ、２０ｃの間で連動して行われるようにされている。
スイッチ部２０ａ、２０ｂ、２０ｃの端子ｔ１に対しては、それぞれ、第１受信再生処理系２３のデマルチプレクサ６ａからの圧縮ビデオ信号、圧縮オーディオ信号、字幕放送用データが出力されるようになっている。また、スイッチ部２０ａ、２０ｂ、２０ｃの端子ｔ２に対しては、それぞれ、第２受信再生処理系２４のデマルチプレクサ６ｂからの圧縮ビデオ信号、圧縮オーディオ信号、字幕放送用データが出力されるようになっている。スイッチ部２０ａ、２０ｂ、２０ｃの端子ｔ３は、それぞれ、映像デコーダ８、音声デコーダ９、字幕デコーダ１０の入力段と接続されている。
従って、スイッチ部２０ａ、２０ｂ、２０ｃの端子ｔ１と端子ｔ３とがそれぞれ連動して接続された状態では、第１受信再生処理系２３側から出力される圧縮ビデオ信号、圧縮オーディオ信号、字幕放送用データが、それぞれ、映像デコーダ８、音声デコーダ９、字幕デコーダ１０に対して入力されることになる。また、スイッチ部２０ａ、２０ｂ、２０ｃの端子ｔ２と端子ｔ３とがそれぞれ連動して接続された状態では、第２受信再生処理系２４側から出力される圧縮ビデオ信号、圧縮オーディオ信号、字幕放送用データが、それぞれ、映像デコーダ８、音声デコーダ９、字幕デコーダ１０に対して入力されることになる。
【００１９】
映像デコーダ８は、入力される圧縮ビデオ信号について、そのビデオ圧縮符号化方式に対応した復号処理（伸長処理）を実行し、映像信号処理回路１１に対して出力する。
また、字幕デコーダ１０は、入力される字幕放送用データについて、伝送時に対応した所定のデコード(復調)処理を施し、字幕としての画像信号(字幕画像信号)を得るようにされる。そして、この字幕画像信号を映像信号処理回路１１に対して出力するようにされる。
【００２０】
映像信号処理回路１１は、映像デコーダ８から入力されるビデオ信号を主たる対象として所要の信号処理を実行するものとされ、字幕デコーダ１０から字幕画像信号も出力されてくる場合には、主画像となる映像デコーダ８からのビデオ信号に対して字幕画像信号を合成したうえで表示用画像信号を生成し、これを表示部２６に対して出力する。
また、映像信号処理回路１１は、ＣＰＵ１３の制御に応じて、ＧＵＩ画像としての画像信号を生成することも可能とされている。このようなＧＵＩ画像が、例えば映像デコーダ８からのビデオ信号を主画像として、これに重畳表示させるようなものである場合には、映像デコーダ８からのビデオ信号にＧＵＩ画像のビデオ信号を合成する処理を実行して表示用画像信号を生成することになる。確認のために述べておくと、ＧＵＩ画像のみを表示させるときには、映像デコーダ８からのビデオ信号に代えて、このＧＵＩ画像のビデオ信号から表示用画像信号を生成して表示部２６に出力させることになる。
【００２１】
表示部２６は、例えば本実施の形態のデジタル放送受信装置１のビデオ信号出力と接続される、所定方式のディスプレイデバイスとされるもので、上記のようにして映像信号処理回路１１から出力される表示用画像信号を入力して画像表示を行う。
【００２２】
また、音声デコーダ９は、入力される圧縮オーディオ信号について、その音声圧縮符号化方式に対応した復号処理を実行して、例えば所定のＰＣＭ形式によるデジタルオーディオ信号に変換し、映像デコーダ８から出力されるビデオ信号との同期（リップシンク）が保たれるタイミングにより出力するようにされる。この場合、音声デコーダ９から出力されるデジタルオーディオ信号は、Ｄ／Ａ変換器１２によりアナログオーディオ信号に変換されたうえで、外部の音声出力部２７に対して出力されるようになっている。
【００２３】
この場合の音声出力部２７は、例えばアナログオーディオ信号についての音質調整などをはじめとする信号処理と増幅を行って、最終的には、スピーカであるとかヘッドフォンなどを駆動する信号を出力するようにされる。
【００２４】
ＣＰＵ１３は、デジタル放送受信装置１の動作制御を実行するもので、その動作は、例えばＲＯＭ１７に記憶されているプログラムを実行することにより得られる。
【００２５】
操作部１４は、デジタル放送受信装置１の本体に設けられる各種操作子と、これらの操作子に対する操作に応じた操作信号を出力する部位とを一括して示したものである。また、受信部１５は、リモートコントローラ１９から無線送信される、コマンド信号を受信し、このコマンド信号に対応する操作信号をＣＰＵ１３に対して出力する。ＣＰＵ１３は、このようにして入力される操作信号に応じて所要の処理を実行する。
【００２６】
ＲＡＭ１６は、揮発性のメモリ素子から成り、ＣＰＵ１３の主記憶装置として利用され、例えばＣＰＵ１３の演算処理結果などが保持される。また、ＣＰＵ１３が実行すべきプログラムは、このＲＡＭ１６に展開される形式で保持されることで、実際のＣＰＵ１３によるプログラムの実行が可能となる。
【００２７】
ＲＯＭ１７には、例えば、ＣＰＵ１３が実行すべきプログラムの他、各種の設定データなどが記憶される。また、このＲＯＭ１７に代えて、例えばフラッシュメモリなどの不揮発性の記憶素子を用いるようにしてもよい。
【００２８】
この場合の電源部２５は、例えば、商用交流電源を入力して最終的には所定値の直流電源電圧Ｖccに変換し、図１に示される各機能回路部に対して電力源として供給する。
【００２９】
また、本実施の形態にあっては、第１受信再生処理系２３と第２受信再生処理系２４への電力供給は、それぞれの受信再生処理系ごとに独立してＣＰＵ１３が制御することが可能に構成されている。
即ち、第１受信再生処理系２３側には電力を供給する一方で、第２受信再生処理系２４に対しては電力供給を停止する、あるいは、これとは逆に、第１受信再生処理系２３側への電力供給を停止する一方で、第２受信再生処理系２４に対しては電力を供給するようにして電力制御を行うことが可能である。また、第１受信再生処理系２３と第２受信再生処理系２４の双方に対して電力を供給することも可能であるし、これとは逆に、双方に電力を供給しないようにすることも可能である。
【００３０】
上記のようにして構成される本実施の形態(第１の実施の形態)のデジタル放送受信装置１では、ユーザ操作に応じて、図２に示す態様の二軸式操作画面を、表示部２６の表示画面部３０に表示させることが可能とされている。
この二軸式操作画面は、デジタル放送受信装置１に関する各種操作を統合的に行えるように構成されたＧＵＩ画面とされ、主としては、横（水平）方向にアイコンを配列させたメニュー選択バー３１と、縦(垂直)方向にアイコン、文字などを配列させたメニュー内項目バー３２とを交差させた態様を有している。
メニュー選択バー３１には、各種のメニュー項目ごとに応じたアイコンが示される。例えば、リモートコントローラ１９等に対する操作として、左右方向への移動に対応した操作を行うことに応じて、メニュー内項目バー３２に位置させるメニュー選択バー３１内のアイコンを左右に１つずつずらしていくようにして変更できるようになっている。メニュー内項目バー３２においては、そのときに、位置しているメニュー選択バー３１内のアイコンが示す機能に応じた選択項目が表示されるようになっている。そして、メニュー内項目バー３２の所定位置には、図示するようにして選択指示枠３３が配置表示されており、例えばリモートコントローラ１９等に対する操作として、上下方向への移動に対応した操作を行うことに応じて、この選択指示枠３３に配置させる選択項目を、上下方向にそって１つずつずらしていくようにして変更することができる。
【００３１】
図２（ａ）には、メニュー選択バー３１内のアイコンのうちで、地上デジタル放送のチャンネルを選択する操作に対応したアイコンがメニュー内項目バー３２に位置している状態を示している。この状態では、メニュー内項目バー３２内の選択項目としては、地上デジタル放送のチャンネルが配列表示されることになる。つまり、この図２（ａ）に示す状態では、地上デジタル放送のチャンネルを選択することが可能とされている。
【００３２】
また、この図２（ａ）に示される表示状態の二軸式操作画面は、それまでチャンネル「０５１」の地上デジタル放送を受信して表示出力させていた状態の下で、二軸式操作画面を表示させるための操作を行ったときに、最初に表示される内容を示している。つまり、この二軸式操作画面においては、これを表示させる直前の動作状態を反映させて、先ず、地上デジタル放送のチャンネルを選択するメニューをアクティブとしたうえで、選択指示枠３３に対して、これまでユーザが視聴していたとするチャンネル「０５１」を配置させた状態としているものである。
なお、このようにして地上デジタル放送のチャンネルを選択するメニューがアクティブとなっている状態では、そのときに選択指示枠３３に配置させているチャンネルに関する情報が同時に表示されるようになっている。つまり、選択指示枠３３に近接した位置に対して、番組名・放送局表示領域３４、及び放送時間表示領域３５が表示され、これらの領域において、現時刻において放送されている番組名、具体的な放送局名と、現時刻において放送されている番組の放送時間帯が示される。
また、ここでは図示していないが、実際においては、この図２（ａ）の内容の二軸式操作画面を表示させているときにも、これまで表示出力させていたチャンネル「０５１」の画像は継続して表示されている。つまり、二軸式操作画面は、これを表示開始させる直前において表示させていたコンテンツの画像が継続して背景画像的に表示されている状態の下で、このコンテンツの画像に重畳されるようにして表示されるものである。また、このときには音声出力部２７より、チャンネル「０５１」の音声も再生出力されているものである。
【００３３】
そして、例えばユーザが、図２（ａ）に示した表示状態の下で、メニュー内項目バー３２を１つ上に移動させる操作を行ったとする。すると、図２（ａ）から図２（ｂ）への遷移として示すようにして、選択指示枠３２には、チャンネル「０５１」の下において表示されていたチャンネル「０６１」が移動してきて配置される状態となる。なお、これに応じて、番組名・放送局表示領域３４、及び放送時間表示領域３５に表示される内容も変化している。但し、単に選択指示枠３３に配置させるメニュー内項目を移動させただけでは、チャンネル切り換えの候補が選択されているに過ぎず、例えば二軸式操作画面の背景としては、これまでと同様にして、チャンネル「０５１」の画像の表示と音声の出力が継続されている。
【００３４】
そして、例えば、この図２（ｂ）に示す状態の下で、現在チャンネル切り換え候補として選択されている（選択指示枠３３内に配置されている）チャンネルへの切り換えを決定するために決定操作が行われたとする。この操作に応じては、図示は省略するが、表示画面部３０においては、これまで表示されていた二軸式操作画面は消去され、これと同時に、チャンネル「０６１」を受信して得られる画像の表示に切り換わるようにされる。また、これに伴い、再生出力される音声も、チャンネル「０６１」のものに切り換わることになる。
なお、例えば図２（ａ）あるいは図２（ｂ）に示す表示状態の下で、二軸式操作画面を消去させる操作を行った場合には、二軸式操作画面が消去されると同時に、これまで背景として表示されていたチャンネル「０５１」が、改めて主画像として表示される状態に戻ることになる。
【００３５】
上記のようにして、本実施の形態のデジタル放送受信装置１においては、統合メニュー画面としての機能を有する二軸式操作画面に対する操作により、チャンネル切り換えの操作を行うことが可能とされている。このようなＧＵＩを利用してのチャンネル切り換え操作は、例えば、番組名・放送局表示領域３４及び放送時間表示領域３５に表示される、チャンネルごとの番組関連の情報を視覚的に確認することができるために、単に、チャンネル送りキーであるとか、数字キーなどを操作してチャンネル切り換えを行うような場合よりも、効率的で無駄のないチャンネル選択が行える。また、現在のデジタル衛星放送などは、アナログ地上波などと比較するとチャンネル数も膨大であり、地上デジタル放送としても、今後、チャンネル数がさらに多くなる可能性がある。このような観点からすると、図２に示した二軸式操作画面のようにして、複数のチャンネルを表示させて、ここから所望のチャンネルを選択するという操作は、多チャンネルに対して効率的で良好な操作性も提供できることになり、好ましい。
【００３６】
ところで、本実施の形態のようなデジタル放送受信機では、チューナにより受信選局するチャンネルを切り換えると、切り換え先（切り換えられた後）のチャンネルの画像（及び音声）の再生出力が開始されるまでには相応の時間を要する。これは、本実施の形態のデジタル放送受信装置１の場合では、デマルチプレクサ６ａ、６ｂが主たるボトルネックとなって生じるものとされている。
つまり、デマルチプレクサ６ａにおいては、例えば入力されるＴＳ形式の信号に多重化される伝送制御情報であるＰＡＴ(Program Association Table)、ＰＭＴ(Program Map Table)などを参照して、ＴＳ形式の信号を形成するパケットから、ビデオ信号、オーディオ信号、字幕放送用データなどを弁別することにより、これらの信号・データの分離抽出処理を実行する。この際において、例えばＰＡＴ、ＰＭＴをＴＳから検索して取得するのに要する時間、また、取得したＰＡＴ、ＰＭＴによりＴＳパケットごとの内容を弁別する処理などに多くの時間を必要とする。
このために、例えば、１系統のみの受信再生処理系により再生出力を行っているとすると、チャンネルの切り換え操作が行われる都度、その切り換え後のチャンネルの画像が表示出力されるまでには、或る程度の遅れが生じることになってしまう。また、当然のこととして、再生音声は、画像とのリップシンクが図られることから、音声の再生出力タイミングも、画像と共に遅れることとなる。
【００３７】
例えば、上記のような問題を解消するために、先に述べた特許文献１では、テレビジョン放送を受信して所定段階まで再生処理を行う系について２系統を設けることとして、そのときに再生出力されているチャンネルに応じて、次にユーザが切り換える可能性が高いと判断されるチャンネルを決定し、この決定されたチャンネルの受信と再生処理を、再生出力を行っていない側の系により行うようにしている(先行デコード)。
【００３８】
本実施の形態としても、図１に示したように、２系統の受信再生信号処理系（２３、２４）を備えることで、特許文献１における先行デコードと同等の動作を実行させることは可能とされる。
しかしながら、特許文献１に記載されている先行デコードチャンネルについての決定規則では、上記図２に示したような操作画面上でのチャンネル切り換え操作を前提とした場合には、対応しきれなくなってくる。このために、例えば仮に、上記した二軸式操作画面に対する操作によりチャンネル切り換えを行ったときに、この操作に応じて新たに切り換わることとなったチャンネルの受信画像の表示の開始が遅延してしまうような状態のままであるとすると、ユーザは、二軸式操作画面の操作性が良くないと感じることになり、例えば、上記したような二軸式操作画面が本来有する高い操作性を十分に発揮できなくなる。
そこで、本実施の形態（第１の実施の形態）としては、二軸式操作画面に対するチャンネル切り換え操作に対応するものとして、切り換わり後のチャンネルの画像の表示出力が遅延無く開始されるようにするための技術構成を提案するものである。以降、この点について説明を行う。
【００３９】
図３のフローチャートは、二軸式操作画面に対するチャンネル選択・決定操作に対応してデジタル放送受信装置１が実行するものとされる処理手順例を示している。なお、この図に示す手順は、ＣＰＵ１３がプログラムを実行することにより実現される制御・処理であるものとしてみることができる。
また、この図３の処理の説明にあたっては、第１受信再生処理系２３及び第２受信再生処理系２４のそれぞれについて、そのときのデジタル放送受信装置１の動作状態に応じて「表示受信再生処理系」若しくは「非表示受信再生処理系」の何れかの名称を用いる場合がある。「表示受信再生処理系」とは、第１受信再生処理系２３及び第２受信再生処理系２４のうちで、そのときに自身が受信・再生処理を実行しているチャンネルの圧縮ビデオ信号、圧縮オーディオ信号（及び字幕放送用データ）が、信号切換部２０を介してデコーダ系（映像デコーダ８、音声デコーダ９（及び字幕デコーダ１０））に対して出力されているほうの受信再生処理系をいう。従って、表示受信再生処理系が受信・再生処理を行っているチャンネルの画像音声は、表示部２６及び音声出力部２７により再生出力されている（二軸式操作画面が重畳表示されている状態時も含む）ことになる。
一方、「非表示受信再生処理系」は、電源供給が停止されて処理を実行していない、あるいは、処理を実行してはいるが、信号切換部２０において出力が遮断されて、以降のデコード処理と、画像音声による再生出力が行われてはいない状態の受信再生処理系をいう。
【００４０】
また、ここでは、説明の便宜上、図３に示す処理が開始される段階においては、デジタル放送受信装置１は、地上デジタル放送における何らかのチャンネルを受信選局して再生出力させている状態にあるものとする。このような状態においては、第１受信再生処理系２３と第２受信再生処理系２４の何れか一方の受信再生処理系が、「表示受信再生処理系」として動作しているのに対して、他方の受信再生処理系は、「非表示受信再生処理系」として、電源供給が停止されていることで動作も停止している状態にあるものとされる。また、実際の二軸式操作画面に対する操作としては、メニュー選択バー３１内のアイコンを左右方向に移動させる操作、即ち、アクティブとするメニュー項目を変更する操作が可能であるが、これについても、ここでは説明の便宜のために、先ずは、このようなメニュー項目変更操作は行われることが無いものとする。ただし、二軸式操作画面の消去操作は可能であることとする。図３のフローチャートも、このことを前提とした手順としている。
【００４１】
先ず、デジタル放送受信装置１は、ステップＳ１０１において、上記のようにして何らかの地上デジタル放送のチャンネルを受信して再生出力させている状態の下で、二軸式操作画面を表示させるための操作が行われるのを待機するようにされる。そして、この操作が行われたことを判別すると、ステップＳ１０２以降の手順に進むようにされる。
【００４２】
ステップＳ１０２においては、二軸式操作画面の表示を開始させるための表示制御処理を実行する。このためには、例えばＣＰＵ１３が映像信号処理回路１１を制御して、二軸式操作画面の表示用画像データを生成し、例えば映像デコーダ８からのビデオ信号と合成させるなどしたうえで、表示部２６に対して出力させる。
この段階において最初に表示される二軸式操作画面の内容は、先に図２（ａ）にて説明したように、先ずは、地上デジタル放送のチャンネル選択がアクティブとされたうえで、これまでに再生出力させていたチャンネル（図２（ａ）ではチャンネル「０５１」）を示す番号が、選択指示枠３３内に配置された状態となっているものである。
【００４３】
次のステップＳ１０３においては、現在において電源供給が停止されていたことで動作も停止状態にあった非表示受信再生処理系に対して電源の供給を開始する。これにより、非表示受信再生処理系は起動してその動作を開始可能な状態となる。
【００４４】
続くステップＳ１０４によっては、現在表示中の二軸式操作画面上に対する操作として、選択指示枠３３内に位置させるチャンネル（選択対象チャンネル）の番号を変更する操作が行われたか否かについての判別を行うようにされる。
【００４５】
先ず、ステップＳ１０４にて、選択対象チャンネルを変更する操作は行われないとして否定の判別結果が得られた場合には、ステップＳ１１３により二軸式操作画面の消去操作が行われたか否かを判別し、ここで肯定の判別結果が得られたのであれば、後述するステップＳ１１１に進み、否定の判別結果が得られたのであれば、ステップＳ１０８に進むようにされる。
【００４６】
一方、ステップＳ１０４にて、選択対象チャンネルを変更する操作が行われたとして肯定の判別結果が得られた場合には、ステップＳ１０５に進む。
ステップＳ１０５では、例えばＣＰＵ１３がＲＡＭ１６に保持させているとされる、現在における選択対象チャンネルを示す情報の更新を行う。つまり、上記ステップＳ１０４により判別された操作に応じた、選択対象チャンネルについての変更設定を行う。また、これとともに、二軸式操作画面についての表示制御としては、変更設定された選択対象チャンネルが反映されるようにして、選択指示枠３３に配置させるチャンネルの番号を変更させる。
【００４７】
次のステップＳ１０６では、最後に実行したステップＳ１０４に対応して変更された後の選択対象チャンネルについて、現在において再生出力中のものであるか否かについての判別を行うようにされる。現在において再生出力中のチャンネルとは、例えば、今回の二軸式操作画面の表示を開始させる直前までは主画像として表示出力していたチャンネルであり、その画像は、二軸式操作画面の背景画像として表示が継続されているものである。従って、この再生出力中のチャンネルについては、このときの表示受信再生処理系により受信・再生処理が行われているものである。
【００４８】
先ず、ステップＳ１０６にて肯定の判別結果が得られた場合には、ステップＳ１０７をスキップしてステップＳ１０８に進むようにされる。これに対して、否定の判別結果が得られた場合には、ステップＳ１０７に進む。
【００４９】
ステップＳ１０７においては、最後に実行したステップＳ１０４の操作に応じて変更された選択対象チャンネルを、第１受信再生処理系２３と第２受信再生処理系２４のうちで非表示受信再生処理系とされている側の受信再生処理系により受信選局させ、デマルチプレクサ（６ａ又は６ｂ）によりデマルチプレクスさせる段階までの受信・再生処理を開始させる。ただし、このときには、信号切換部２０においては、表示受信再生処理系から出力される圧縮ビデオ信号、圧縮オーディオ信号（及び字幕放送用データ）を、後段の映像デコーダ８、音声デコーダ９、及び字幕デコーダ１０に対して出力させる状態を継続させる。従って、非表示受信再生処理系にて受信・再生処理を実行しているチャンネルの画像音声がユーザに知覚される態様で出力されることにはならない。ここでは、このようにして表示、音声出力までは行われないものの、非表示受信再生処理系が実行するものとされる、指定チャンネルの受信選局からデマルチプレクスまでの処理を、「待機再生処理」ということにする。
【００５０】
ステップＳ１０８においては、二軸式操作画面に対する操作として、現在の選択対象チャンネルを、切り換え先のチャンネルとして決定するための操作（チャンネル決定操作）が行われたか否かを判別することとしており、チャンネル決定操作が行われていなければステップＳ１０４に戻るようにされる。このようにして、チャンネル決定操作が行われるまでは、ステップＳ１０４〜Ｓ１０８の処理をループさせることができるが、これにより、ユーザが行った選択対象チャンネルの変更操作に応じて、二軸式操作画面上で選択指示枠３３内に位置するチャンネルの番号は変更されることになる。そして、これとともに、非表示受信再生処理系が受信・再生処理の対象とするチャンネルも、選択対象チャンネルが変更されることに応じて変更されることになる。
一方、ステップＳ１０８においてチャンネル決定操作が行われたとして肯定の判別結果が得られた場合には、ステップＳ１０９に進むようにされる。
【００５１】
ステップＳ１０９においては、上記ステップＳ１０８に対応して判別されたチャンネル決定操作により決定されたチャンネルは、現在において二軸式操作画面とともに再生出力中のものであるか否かについての判別を行うようにされる。つまり、ステップＳ１０４〜ステップＳ１０８の手順を繰り返し実行している間においては、例えば、再生出力中のチャンネル以外のチャンネルを選択したが、また、再生出力中のチャンネルを選択した状態に戻すというユーザ操作が行われる可能性がある。ステップＳ１０９は、このような可能性があることに基づいて、決定されたチャンネルが現在再生出力中であるか否かについて判別することとしているものである。
【００５２】
先ず、ステップＳ１０９において否定の判別結果が得られた場合であるが、この場合には、ステップＳ１０８に対応して決定操作が行われたチャンネルについては、非表示受信再生処理系により待機再生処理を実行中であることになる。そこで、この場合には、ステップＳ１１０により、これまでの表示受信再生処理系と非表示受信再生処理系とについて、これを交替させるための処理を実行する。
例えば、このステップＳ１１０に至ったときの状態が次のようなものであったとする。つまり、第１受信再生処理系２３が表示受信再生処理系とされて、自身が受信・再生処理を実行して得られたチャンネルの画像音声が、二軸式操作画面の表示と共に再生出力されており、一方で、第２受信再生処理系２４は非表示受信再生処理系とされて、選択対象チャンネルについての待機再生処理を行っていたとする。すると、ステップＳ１１０では、信号切換部２０におけるスイッチ部２０ａ、２０ｂ、２０ｃについて、端子ｔ１と端子ｔ３が接続されていた状態から、端子ｔ２と端子ｔ３とが接続される状態に切り換えるようにされる。これにより、デコーダ系（映像デコーダ８、音声デコーダ９（字幕デコーダ１０））に対しては、第１受信再生処理系２３からの信号・データが入力されていた状態から、第２受信再生処理系２４からの信号・データが入力される状態に切り換わることになる。これに応じて、再生出力される画像音声としても、第１受信再生処理系により受信・再生処理を行っていたチャンネルのものから、第２受信再生処理系２４により受信・再生処理を行っていたチャンネルのものに切り換わることになる。そして、この結果、表示受信再生処理系が第２受信再生処理系２４となり、非表示受信再生処理系が第１受信再生処理系２３となるようにして入れ替わる。このような動作が、ステップＳ１１０による表示受信再生処理系と非表示受信再生処理系とについての交替処理の１つの例となる。
【００５３】
そして、ステップＳ１１０による処理を実行した後は、ステップＳ１１１により、現在の非表示受信再生処理系に対する電源供給を停止するようにされる。この処理により、非表示受信再生処理系は、次に、チャンネル切り換えのメニューがアクティブとされた二軸式操作画面が表示されるまで、電源供給が停止されることになるものであり、その分の消費電力の節減が図られることになる。
次に、ステップＳ１１２により、これまで表示させていた二軸式操作画面の画像を消去するようにされる。この結果、表示部２６の表示画面部３０においては、二軸式操作画面が消去されると同時に、背景画像として表示されていた以前のチャンネルの画像から、ユーザが決定操作を行ったチャンネルの画像の表示に切り換わることになる。また、これとともに、音声出力部２７から再生出力される音声も、以前のチャンネルの画像から、ユーザが決定操作を行ったチャンネルの音声に切り換わる。
【００５４】
また、ステップＳ１０９において肯定の判別結果が得られた場合であるが、この場合には、これまでの表示受信再生処理系による受信・再生処理により得られていた画像音声の再生出力（画像は二軸式操作画面の背景として表示されていたものである）を継続させればよいことになる。そこで、この場合には、ステップＳ１１０をスキップして、信号切換部２０における端子切り換えを行うことなく、ステップＳ１１１に進む。このときのステップＳ１１１においては、これまでにおいて待機再生処理を実行していた非表示受信再生処理系の電源供給を停止させることになり、そのうえで、ステップＳ１１２により二軸式操作画面の画像を消去させる。このようにして、二軸式操作画面の画像を消去した結果として、これまでにおいて二軸式操作画面の画像と合成されて出力されていた、表示受信再生処理系からの画像が主画像として表示されることになる。
また、先のステップＳ１１３において二軸式操作画面を消去して、元のチャンネル画像の表示に戻すための操作が行われたとして、肯定の判別結果が得られた場合にも、ステップＳ１１１、Ｓ１１２の処理に進むようにされる。この結果、上記のステップＳ１０９からステップＳ１１１に至った場合と同様にして、二軸式操作画面が消去されたうえで、これまでの表示受信再生処理系による受信・再生処理により得られていた画像音声の再生出力が継続されることになる。
【００５５】
先に図２により説明した二軸式操作画面によるチャンネル切り換え操作によれば、チャンネルを切り換える結果を生じるためには、先ず、選択指示枠３３内に所望のチャンネル番号を位置させたうえで決定操作を行うべきことになる。このことからすれば、チャンネル（コンテンツ）の選択操作により選択指示枠３３内に位置することとなったチャンネルが、その時点では、最も切り換え先となるチャンネルとなる可能性が高いということがいえる。
この考えに基づいて、第１の実施の形態においては、チャンネル選択操作により選択指示枠３３内に配置されることとなったチャンネル（選択対象チャンネル）を非表示受信再生処理系による待機再生処理を開始させるチャンネルとして決定するという規則を規定しているものである。
そのうえで、例えば本実施の形態のデジタル放送受信装置１の場合、１つのチャンネルを受信選局して再生出力するまでのデジタル信号処理系の遅延は、デマルチプレクサ（６ａ、６ｂ）における信号・データの分離抽出処理（デマルチプレクス処理）における処理時間が支配的とされている。そこで、本実施の形態としては、待機再生処理として、デマルチプレクサ（６ａ、６ｂ）までの処理を予め行っておくように構成しているものである。
そして、決定操作が行われたときには、信号切換部２０における各スイッチ部の端子切り換えを行って、これまでの非表示受信再生処理系からの信号・データをデコーダ系に出力させることとして、決定操作に応答して即座に、切り換え先のチャンネルの再生出力が開始されるようにしている。
このようにして、本実施の形態（第１実施の形態）は、二軸式操作画面によるチャンネル切り換え操作に適合させて、待機再生処理を行っておくべきチャンネルを決定しているものである。この結果、二軸式操作画面上でのチャンネル切り換えの操作は、ユーザにとって快適なものとなる。
【００５６】
ところで、現在においては、上記の二軸式操作画面の他に、ＥＰＧ（電子番組ガイド： Electrical Program Guide）を利用して、番組（コンテンツ）の選択、予約録画設定などを行うようにされた放送受信装置が普及してきている状況にあるが、図１に示した本実施の形態のデジタル放送受信装置１も、ＥＰＧに対応した構成を与えることができる。
つまり、デジタル放送受信装置１は、ＥＰＧデータを外部より取得して保持しておき、ユーザ操作などに応じて、このＥＰＧデータを基に、ＥＰＧといわれる番組表のＧＵＩ画像を生成して表示出力させる。そして、このＥＰＧ画像に対する操作に応じて、選択決定された番組に対応するチャンネルへの切り換えであるとか、予約録画設定に移行するなどの動作を実行するようにされる。なお、ＥＰＧデータの取得の仕方については、これまでに知られている手法が採用されればよい。例えばＥＰＧデータを放送信号に多重化させて送出している場合には、デジタル放送受信装置１は、デマルチプレクサ（６ａ、６ｂ）によりＥＰＧデータの分離抽出を行って、例えばＲＡＭ１７に保持しておくようにされる。そして、ユーザ操作に応答しては、ＣＰＵ１３がＥＰＧデータの読み出しを行い、映像信号処理回路１１に対する制御を実行して、ＥＰＧ画像の表示用画像データを生成させ、この表示用画像データが所定の表示態様により出力されるようにするものである。
【００５７】
次に、図４及び図５を参照して、本実施の形態のデジタル放送受信装置１における、ＥＰＧ画像を利用した番組選択（チャンネル切り換え）に関する操作例について説明する。
例えば、デジタル放送受信装置１により或る地上デジタル放送のチャンネルを受信選局して再生出力させていた状態の下で、ユーザがＥＰＧ画像を表示させるための操作を行ったとされる。これに応じて、図４（ａ）に示すＥＰＧ画像が表示画面部３０に表示されたものとする。
【００５８】
この図４（ａ）に示されるＥＰＧ画像は、横（水平）方向についてはチャンネルごとに区分し、縦（垂直）方向については時間により区分したマトリクス形式を採る。そのうえで、個々の番組を示す枠（番組単位枠）が、チャンネルごとの列において、放送時間帯ごとに区切られるようにして提示されるようになっている。
そのうえで、このＥＰＧ画像上においては、選択指示枠４１が、１つの番組単位枠を囲むようにして表示される。この選択指示枠４１は、ユーザ操作に応じて、上下方向（時間方向）及び左右方向（チャンネル間方向）に沿って、番組単位枠間を移動可能とされている。そして、この選択指示枠４１が配置される番組単位枠が示す番組が、そのときに選択中にあるとされる番組（選択対象番組）であることになる。
【００５９】
図４（ａ）においては、「関央ＴＶ」（チャンネル番号０５１）という放送局の午後8:00から放送されている「世界の自然を歩く」というタイトルの番組の番組単位枠に対して選択指示枠４１が配置されている。この図４（ａ）の表示内容は、ＥＰＧ画像の表示を指示する操作に応じて、最初に表示されたものであるが、この最初の表示内容には、今回のＥＰＧ画像を表示させる直前までのデジタル放送受信装置１の動作が反映されている。つまり、今回のＥＰＧ画像を表示させる直前までは、「関央ＴＶ」（チャンネル番号０５１）を受信選局して、番組「世界の自然を歩く」を主画像として再生出力していたものであり、図４（ａ）においては、これを反映して、番組「世界の自然を歩く」の番組単位枠に対して選択指示枠４１を配置させているものである。
また、ここでは図示を省略しているが、例えば実際においては、番組「世界の自然を歩く」を放送しているチャンネルについての、映像音声のデコード処理は継続されている。この場合には、番組「世界の自然を歩く」の画像は、ＥＰＧ画像が表示画面部３０全体において表示されていることで表示されてはいないが、受信・再生処理は継続されており、その画像音声の信号は、映像信号処理回路１１と音声出力部２７に対しては出力されている状態にある。映像信号処理回路１１においては、ＥＰＧ画像を表示させるときには、映像デコーダ８から入力されるビデオ信号については、表示部２６に対して出力させるのに代えて、ＥＰＧ画像のビデオ信号を出力する。あるいは、ＥＰＧ画像データに透明度を設定して、映像デコーダ８から入力される番組の画像が透過して見えるような表示を行うようにしてもよい。いずれにせよ、このときに、ＥＰＧ画像の表示直前まで再生出力されていた番組のチャンネルについての受信・再生処理については、「表示受信再生処理系」となる第１受信再生処理系２３、第２受信再生処理系２４の何れかにおいて実行されており、デコーダ系に対して出力を行っている。これに伴い、番組「世界の自然を歩く」の音声は再生出力されている状態にあるものとする。
【００６０】
また、このＥＰＧ画像においては、その上部において、放送局・チャンネル表示領域４３、及び現在日時表示領域４４が設けられる。放送局・チャンネル表示領域４３は、ＥＰＧ画像の表示と共に、「表示受信再生処理系」により処理を行っている番組の放送局・チャンネルを示す領域である。現在日時表示領域４４は、現在日時を示す領域である。
【００６１】
そして、例えば図４（ａ）に示す状態の下で、ユーザが右方向に１つ分、選択指示枠４１を移動させるための操作を行ったものとする。この操作に応じて、選択指示枠４１は、図４（ｂ）に示すようにして、「関央ＴＶ」（チャンネル番号０５１）の右隣の列において、ほぼ同じ上下位置に在るとされる、東テレビ（チャンネル番号０６１）で、午後8:00から放送している番組「サッカー」の番組単位枠に移動して配置されることになる。
【００６２】
ここで、例えば上記図４（ｂ）に示す状態の下で、チャンネルについての決定操作を行ったものとする。この決定操作は、そのときに選択指示枠４１が配置されている番組単位枠が示す番組を対象とするものである。従って、図４（ｂ）の場合には、番組「サッカー」を対象として決定操作行ったことになるが、この番組「サッカー」は、午後８：００から９：５４に至るまでの時間帯で放送される。現在時刻は、現在日時表示領域４４によると、午後８：０３なので、番組「サッカー」は、現在時刻において放送中であることになる。
このようにして、ＥＰＧ上で現在において放送中とされている番組（コンテンツ）についての選択決定が行われた場合には、例えばＥＰＧ画像を消去した上で、デジタル放送受信装置１は、この選択決定された番組のチャンネルの受信選局に切り換えて、これを再生出力させるように動作するようにされる。つまり、この場合においては、図４（ｂ）に示すＥＰＧ画像の表示が消去されると同時に、表示画面部３０には番組「サッカー」の画像の表示に切り換わり、これとともに、再生出力される音声も、番組「サッカー」のものに切り換わるようにされる。
そして、本実施の形態においては、このようにしてＥＰＧ画像上でチャンネル切り換えに相当する番組選択決定の操作を行ったときにも、後述する構成により、切り換え先のチャンネルの番組の画像（この場合には、番組「サッカー」の画像）を即座に表示させることが可能とされており、良好なＥＰＧ画像の操作感覚が得られるようにされている。
【００６３】
また、例えば図４（ｂ）に示す状態において、チャンネル決定操作を行うことなく、さらに選択指示枠４１を移動させる操作を行い、図５に示すようにして東テレビ（チャンネル番号０６１）において午後１０：００から放送が開始される番組「ドキュメント・東京」番組単位枠に対して選択指示枠４１を配置させたとする。そして、この状態において、チャンネル決定操作を行ったものとする。
この場合、決定操作の対象となった番組「ドキュメント・東京」の放送開始時刻は午後１０：００からであるのに対して、現在時刻は午後８：０３であるから、この番組「ドキュメント・東京」は放送されていない。つまり、現在においてコンテンツ送出源とされる放送局側からは送出することは不可であり、従って、受信取得して再生出力することはできないコンテンツである。
このようにして、現時刻において送出側において送出を行っておらず、従って現時刻では受信取得することのできない番組が選択決定された場合には、ここでは図示していないが、例えば選択決定された番組を予約録画するための操作画面に移行するようにされる。図５の場合には、番組「ドキュメント・東京」についての予約録画設定のための操作画面に移行することとなる。
【００６４】
また、例えば図４（ａ）（ｂ）、及び図５などに示す状態の下で、チャンネル決定操作を行うことなく、ＥＰＧ画像の表示を消去するための操作を行った場合には、ＥＰＧ画像が消去され、ＥＰＧ画像表示前の表示状態に戻る。つまり、「関央ＴＶ」（チャンネル番号０５１）の番組「世界の自然を歩く」の画像が表示される。
【００６５】
図６のフローチャートは、上記したようなＥＰＧ画像に対する番組選択・決定操作に対応してデジタル放送受信装置１が実行するものとされる処理手順例を示している。なお、この図の説明にあっても、第１受信再生処理系２３及び第２受信再生処理系２４のそれぞれについて、「表示受信再生処理系」若しくは「非表示受信再生処理系」の何れかの名称を用いる。
【００６６】
先ず、デジタル放送受信装置１は、ステップＳ２０１において、先の説明のようにして、或る地上デジタル放送のチャンネルを受信して再生出力させている状態の下で、ＥＰＧ画像を表示させるための操作が行われるのを待機し、この操作が行われたのであれば、ステップＳ２０２以降の手順に進むようにされる。
【００６７】
ステップＳ２０２においては、例えば先に述べた表示制御により、ＥＰＧ画像の表示を開始させるための表示制御処理を実行する。なお、この表示開始時において表示されるＥＰＧ画像の内容は、先に図４（ａ）にて説明したように、先ずは、これまでに再生出力させていた番組の番組単位枠に対して、選択指示枠４１が配置された状態となっているものである。
【００６８】
次のステップＳ２０３においては、現在において電源供給が停止されていたことで動作も停止状態にあった非表示受信再生処理系に対して電源の供給を開始し、以降において、いつでも非表示受信再生処理系が動作を開始可能な状態とする。
【００６９】
ステップＳ２０４においては、ＥＰＧ画像に対する操作として、選択指示枠４１を移動させる操作、即ち、選択対象番組を変更する操作が行われたか否かについての判別を行うようにされる。
このステップＳ２０４にて、選択対象番組を変更する操作は行われないとして否定の判別結果が得られた場合には、ステップＳ２１５によりＥＰＧ画像の消去操作が行われたか否かを判別し、ここで肯定の判別結果が得られたのであれば、後述するステップＳ２１３に進み、否定の判別結果が得られたのであれば、ステップＳ２０９に進むようにされる。
一方、ステップＳ２０４にて、選択対象番組を変更する操作が行われたとして肯定の判別結果が得られた場合には、ステップＳ２０５に進む。
【００７０】
ステップＳ２０５では、例えばＣＰＵ１３がＲＡＭ１６に保持させているとされる、現在における選択対象番組を示す情報の更新を行う。つまり、上記ステップＳ２０４により判別された操作に応じた、選択対象番組についての変更設定を行う。また、これとともに、ＥＰＧ画像についての表示制御としては、選択指示枠４１の移動操作が反映されるようにして、選択指示枠４１を、新たに設定された番組の番組単位枠に対して移動させて配置させる。
【００７１】
次のステップＳ２０６では、最後に実行したステップＳ２０４に対応して変更された後の選択対象番組について、現在時刻において放送されているものであって受信して再生処理を行うことが可能なものであるか否かについて判別する。この判別にあたっては、ＣＰＵ１３が有するものとされる時計機能により計時している現在時刻が、ＥＰＧデータの内容から認識した選択対象番組の放送時間帯に含まれているかどうかを判断すればよい。
ステップＳ２０６において否定の判別結果が得られた場合には、次に説明するステップＳ２０７、Ｓ２０８の手順をスキップしてステップＳ２０９に進む。これに対して、肯定の判別結果が得られた場合には、ステップＳ２０７に進む。
【００７２】
ステップＳ２０７に至った場合には、選択対象番組は現時刻において受信可能であることになるが、このステップＳ２０７においては、この選択対象番組が、現在において、表示受信再生処理系により受信・再生処理が行われているチャンネルのものであるか否かについて判別する。ここで肯定の判別結果が得られた場合には、選択対象番組は、既に表示受信再生処理系により受信・再生処理を実行中であるために、新たに、非表示受信再生処理系により受信・再生処理を開始させる必要はない、ということになる。そこで、この場合には、ステップＳ２０８の処理をスキップしてステップＳ２０９に進む。
これに対してステップＳ２０７にて否定の判別結果が得られた場合には、ステップＳ２０８に進むようにされる。
ステップＳ２０８においては、非表示受信再生処理系により選択対象番組のチャンネルについての待機再生処理を開始させるための制御を実行し、ステップＳ２０９に進む。
【００７３】
ここで、先のステップＳ２０６にて、選択対象番組が現時刻において放送されていない（受信不可）であるとして否定の判別結果が得られた場合には、上記のステップＳ２０８の処理をスキップして、ステップＳ２０９に至るようにされている。つまり、選択対象番組のチャンネルについての待機再生処理を意図的に実行させないようにしている。この場合には、選択対象番組が現時刻において放送されていないのであるから、仮に、選択対象番組を放送予定のチャンネルについて、非表示受信再生処理系により受信・再生処理を行ったとしても、選択対象番組とは異なる番組を対象として受信・再生処理を行うことになってしまう。このような受信・再生処理は、無駄な動作であって、例えば処理負担や電力消費の増加につながる可能性がある。そこで、ステップＳ２０６にて否定の判別結果が得られた場合には、新たな待機再生処理を開始させないこととしたものである。
【００７４】
次のステップＳ２０９においては、ＥＰＧ画像に対する操作として、現在の選択対象番組を決定するための操作（番組決定操作）が行われたか否かを判別することとしており、番組決定操作が行われていなければステップＳ２０４に戻るようにされる。このようにして番組決定操作が行われるまでは、ステップＳ２０４〜Ｓ２０９の処理をループさせることで、選択対象番組の変更操作（選択指示枠４１の移動操作である）を行うことが可能とされる。そして、これとともに、非表示受信再生処理系が受信・再生処理の対象とするチャンネルも、選択対象番組がチャンネル（放送局）間で変更されることに応じて変更されることになる。
これに対して、ステップＳ２０９においてチャンネル決定操作が行われたとして肯定の判別結果が得られた場合には、ステップＳ２１０に進むようにされる。
【００７５】
ステップＳ２１０においては、上記ステップＳ２０８に対応する番組決定操作により決定された番組のチャンネルについては、現在において表示受信再生処理系により受信・再生処理を行っているか否かについての判別を行うようにされる。
ここで先ず、肯定の判別結果が得られた場合には、ステップＳ２１３により、非表示受信再生処理系に対する電源供給を停止するとともに、ステップＳ２１４により、ＥＰＧ画像を消去するようにされる。このＥＰＧ画像の消去に伴い、映像信号処理回路１１は、映像デコーダ８から入力されるビデオ信号の画像を表示部２６の表示画面部３０に表示させるように制御される。つまり、今回のＥＰＧ画像を表示させる直前まで表示させていた番組（チャンネル）の画像が、再び主画像として表示されることになる。これは、ステップＳ２１５にて肯定の判別結果が得られてステップＳ２１３、Ｓ２１４の手順を実行した場合にも、上記と同様にして、今回のＥＰＧ画像表示前の状態に戻ることになる。
【００７６】
また、ステップＳ２１０において否定の判別結果が得られた場合には、ステップＳ２１１により下記の判別処理を実行する。
ステップＳ２１１では、今回の番組決定操作により決定された番組のチャンネルは、現在において、非表示受信再生処理系により受信・再生処理中の状態であるか否かについて判別するようにされる。先に、図５により説明したように、ＥＰＧ画像に対する番組選択操作にあっては、現在時刻において放送していない、将来の或る時間に放送予定の番組も選択することが可能とされている。そして、このような将来において放送予定の番組が新たに選択対象番組とされたとしても、そのときには、選択対象番組のチャンネルについてのステップＳ２０８による待機再生処理は行わないようにされている。従って、ＥＰＧ画像に対する選択決定操作に対応しては、非表示受信再生処理系が、番組決定操作により決定された番組のチャンネル以外のチャンネルについて受信・再生処理を行っている場合がある。ステップＳ２１１は、この状態であるかどうかを判断しているものである。
【００７７】
ステップＳ２１１において肯定の判別結果が得られた場合には、番組決定操作により決定された番組のチャンネルは、非表示受信再生処理系により受信・再生処理を実行中であることになる。そこで、この場合には、ステップＳ２１２により、先の図３のステップＳ１１０と同様にして、表示受信再生処理系と非表示受信再生処理系とについての交替処理を実行する。そのうえで、ステップＳ２１３、Ｓ２１４を実行する。
このステップＳ２１１からステップＳ２１２、Ｓ２１３、Ｓ２１４に至る処理が、例えば図４（ｂ）の状態の下で、ＥＰＧ画像表示前とは異なる新たな番組について番組決定操作を行った場合に応答した動作として現れることになる。そして、このときには、それまで非表示受信再生処理系により受信・再生処理を行ってバッファ７ａにバッファリングされていたデマルチプレクス処理後の信号・データをデコーダ系に出力することになる。つまり、切り換え先の番組（チャンネル）の画像音声は即座に再生出力されることになる。
【００７８】
これに対して、ステップＳ２１１にて否定の判別結果が得られた場合であるが、このときの選択決定操作により決定された番組は、将来に放送が予定されている番組であることになる。そこで、この場合には、ステップＳ２１６により、この決定された番組についての予約録画設定を行うための操作画面を表示させる。
【００７９】
また、本実施の形態のデジタル放送受信装置１においては、ＥＰＧ画像について、図７に示す態様により表示させることも可能とされている。なお、図４、図５と同一とされる部分については同一符号を付して説明を省略する。
図４、図５においては、表示画面部３０の表示領域全体を利用してＥＰＧ画像を表示させていた。これに対して、図７においては、番組の画像を表示させている表示画面部３０のほぼ下側半分の領域であるＥＰＧ表示領域５１において、番組の画像の上に重ねるようにしてＥＰＧ画像を表示させるようにされる。これにより、番組の画像は、表示画面部３０における番組画像表示領域５０において、ほぼ上半分の部分が表示されることになる。なお、番組画像表示領域５０において表示されている番組の画像は、例えば、ＥＰＧ表示領域５１にＥＰＧ画像を表示させる直前までは、表示画面部３０全体を使用するようにして主画面として表示されていたものである。
このような表示では、ＥＰＧ画像上において一度に提示できる時間帯の幅は狭くはなるものの、番組の画像は上半分が明確に見えることになる。つまり、図７の表示態様は、ＥＰＧ画像は利用したいが、これまで視聴していた番組の画像がほとんど見えなくなるのは不都合だとユーザが思うような状況において有用となる。
【００８０】
この図７に示すＥＰＧ画像の表示態様にあっても、番組についての選択操作、決定操作は、図４、図５にて説明したのと同様にして行うことが可能とされる。なお、放送時間帯については、縦方向に沿ったスクロールを行うことで、現時刻から或る将来の時刻までを表示させていくことが可能とされている。
そのうえで、この図７に示すＥＰＧ画像に対する番組選択・決定操作に対応してデジタル放送受信装置１が実行する処理手順としても、先に図６のフローチャートに準ずればよいものとされる。
【００８１】
これまでに説明してきた、第１の実施の形態としてのコンテンツ再生装置であるデジタル放送受信装置１は、デジタル地上波によるテレビジョン放送を受信して再生出力するものとされていた。つまり、送出側から一方的に電波などとして送出されてくる、いわゆる放送を受信するものとされる。
しかし、現状にあっては、インターネットなどのネットワークの普及、進化にともなって、ＩＰＴＶなどともいわれる、番組（コンテンツ）をネットワーク経由で放送（配信）する技術も実用化されるようになってきている。そこで、第２の実施の形態としては、このようなＩＰＴＶに対応した受信装置に本願発明を適用するものである。
【００８２】
図８は、第２の実施の形態としてのコンテンツ再生装置である、ＩＰＴＶ受信装置１００の構成例を示している。なお、この図において図１と同一部分には同一符号を付して、ここでの説明は省略する。
【００８３】
このＩＰＴＶ受信装置１００は、ネットワーク上に設けられるＩＰＴＶサーバ（ここでは図示を省略）とネットワーク経由で通信を行い、ＩＰＴＶサーバから番組単位のコンテンツをダウンロードして受信取得する。ＩＰＴＶサーバは、番組単位の画像・音声によるコンテンツのデータを多数蓄積しており、ＩＰＴＶ受信装置１００からのコンテンツの送信要求に応答して、要求された番組(コンテンツ)のデータを、例えばストリーミング方式（あるいはダウンロード方式）により送出するようにされている。ここで、ＩＰＴＶサーバとしては、例えばほぼ受信した複数のコンテンツ送信要求ごとに応じて、時分割的に、異なる番組のデータを送出することが可能とされている。これは、単位期間においては、ＩＰＴＶサーバ（コンテンツ送出源）が複数の異なるコンテンツを同時的に送出可能とされているものであると見ることができる。
【００８４】
ＩＰＴＶ受信装置１００において、ネットワークインターフェイス２１は、上記のようにしてＩＰＴＶこのために設けられる。ネットワークインターフェイス２１は、ネットワークに対応した通信プロトコルに従って、ＩＰＴＶサーバを含むネットワーク上の他の機器と通信を可能とするための構成を有している。
【００８５】
上記のようにしてネットワークインターフェイス２１を備えるＩＰＴＶ受信装置１００が、ＩＰＴＶサーバから目的とする番組のデータをダウンロードし、これを再生出力するまでの動作について説明しておく。
ＩＰＴＶ受信装置１００により番組のデータをダウンロードするときには、例えばＣＰＵ１３の制御により、ネットワークインターフェイス２１からＩＰＴＶサーバに対して、目的とする番組のデータ（番組データ）のダウンロード要求を送信するようにされる。この要求に応答して、ＩＰＴＶサーバ１００は、要求された番組データを、要求元のＩＰＴＶ受信装置１００に対して送信する。ＩＰＴＶ受信装置１００は、このようにして送信されてくる番組データを、ネットワークインターフェイス２１により受信することになる。ネットワーク経由でのデータの送信は周知のようにして、所定の通信プロトコルに従ってパケット化されて伝送されてくる。ネットワークインターフェイス２１では、このようにしてパケット化されて伝送されてくる番組データを受信してパケット化を解き、番組データを復元して出力するようにされる。この場合においては、このようにしてネットワークインターフェイス２１から出力される段階の番組データは、例えば、図１に示したデジタル放送受信装置１において、デマルチプレクサ（６ａ、６ｂ）に入力される段階のＴＳと同等の構造、形式によるものであるとする。
【００８６】
ネットワークインターフェイス２１にて得られた番組データは、デマルチプレクサ（６ａ、６ｂ）に対して出力させることになる。例えばネットワークインターフェイス２１は、ＣＰＵ１３の制御に応じて、番組データを、デマルチプレクサ６ａ、６ｂの何れか一方を出力先として指定して出力させることができるようにされている。デマルチプレクサ６ａ、６ｂは、自身が出力先として指定されたのであれば、ネットワークインターフェイス２１からの番組データを入力して取り込み、例えば圧縮ビデオ信号、圧縮オーディオ信号を分離抽出し、バッファ７ａにバッファリングさせていくようにされる。さらに字幕放送用データや各種付加情報が多重化されていたのであれば、これらのデータ、情報も分離抽出し、バッファリングあるいはＲＡＭ１７への格納などを行うようにされる。
【００８７】
なお、ここでは、デマルチプレクサ６ａ及びバッファ７ａから成る部位を第１再生処理系２３Ａとし、デマルチプレクサ６ｂ及びバッファ７ｂから成る部位を第２再生処理系２４Ａとしている。第１再生処理系２３Ａと第２再生処理系２４Ａは、それぞれ、図１の第１受信再生処理系２３、第２受信再生処理系２４に相当する部位となる。
【００８８】
デマルチプレクサ６ａ、６ｂより後段の構成は、図１と同様となる。ＩＰＴＶ受信装置１００としては、ネットワーク経由でＩＰＴＶサーバからダウンロードしてきた番組データについて、第１再生処理系２３Ａ若しくは第２再生処理系２４Ａにより再生処理（デマルチプレクス処理）を行ったうえで、デコーダ系（映像デコーダ８、音声デコーダ９（及び字幕デコーダ１０））によりデコード処理を実行し、最終的に画像音声として再生出力させることが可能とされているものである。
このようにしてＩＰＴＶ受信装置１００は、例えばストリーミング方式（あるいはダウンロード方式）によりＩＰＴＶサーバからダウンロードした番組のデータを、画像音声として再生出力することが可能とされている。
【００８９】
また、ＣＰＵ１３、操作部１４、受信部１５、ＲＡＭ１６、ＲＯＭ１７、電源部２５などの構成も、図１と同様となる。また、この場合においても、第１再生処理系２３Ａと第２再生処理系２４Ａに対する電源供給については、それぞれ独立してオン／オフコントロールを行うことが可能とされている。
【００９０】
また、この第２の実施の形態に対応しては、ＩＰＴＶサーバにおいて、このＩＰＴＶサーバが提供（放送）する番組の検索に用いることのできる、電子番組表（ＩＰＴＶ−ＥＰＧ）のデータを用意しているものとされる。ＩＰＴＶ−ＥＰＧは、ＩＰＴＶサーバにより提供可能な番組に関する情報を有して成るものとされる。そして、ＩＰＴＶ受信装置１００は、例えばネットワークインターフェイス２１経由で、ＩＰＴＶサーバから、ＩＰＴＶサーバが提供する番組を検索する電子番組表（ＩＰＴＶ−ＥＰＧ）のデータをダウンロードし、このＩＰＴＶ−ＥＰＧのデータに基づいてＥＰＧ画像（ＩＰＴＶ−ＥＰＧ画像）を表示させることが可能とされている。ＩＰＴＶ受信装置１００のユーザは、このＩＰＴＶ−ＥＰＧ画像に対する番組選択・決定操作を行うことで、所望の番組をダウンロードして再生出力させ、視聴することができる。なお、ＩＰＴＶ−ＥＰＧ画像の表示態様例の図示による説明は省略する。
【００９１】
図９のフローチャートは、上記したようなＥＰＧ画像に対する番組選択・決定操作に対応してＩＰＴＶ受信装置１００が実行するものとされる処理手順例を示している。
なお、この図に示す手順も、これまでの実施の形態の場合と同様にして、図９に示す処理が開始される段階においては、ＩＰＴＶ受信装置１００は、何らかのチャンネルを受信選局して再生出力させている状態にあるものとする。また、この図の説明にあっても、第１再生処理系２３Ａ及び第２再生処理系２４Ａのそれぞれについて、「表示再生処理系」若しくは「非表示再生処理系」の何れかの名称を用いる。「表示再生処理系」「非表示再生処理系」の意義は、それぞれ、第１の実施の形態における「表示受信再生処理系」「非表示受信再生処理系」に準ずる。
【００９２】
先ず、ＩＰＴＶ受信装置１００は、ステップＳ３０１において、既に或るＩＰＴＶの番組のデータを受信して再生出力させている状態の下で、ＩＰＴＶ−ＥＰＧ画像を表示させるための操作が行われるのを待機し、この操作が行われたのであれば、ステップＳ３０２以降の手順に進むようにされる。
【００９３】
ステップＳ３０２においては、上記の操作に応じて、例えば先に述べたようにしてＩＰＴＶサーバからＩＰＴＶ−ＥＰＧデータをダウンロードし、ＩＰＴＶ−ＥＰＧ画像の表示出力を開始させる。なお、図示は省略するが、この表示開始時において表示されるＩＰＴＶ−ＥＰＧ画像の内容としても、先の実施の形態の場合と同様に、先ずは、これまでに再生出力させていた番組についての選択が所定の態様による選択指示表示によって行われている状態にあるものとする。つまり、これまでに再生出力させていた番組が選択対象番組とされているものである。
【００９４】
ステップＳ３０３においては、これまで電源供給が停止されていたとする非表示再生処理系に対して電源の供給を開始し、以降において、この非表示再生処理系が、いつでも有効な再生処理動作を開始可能な状態とする。
【００９５】
ステップＳ３０４においては、ＩＰＴＶ−ＥＰＧ画像に対する操作として、選択対象番組を変更する操作が行われたか否かについての判別を行うようにされる。
このステップＳ３０４にて、選択対象番組を変更する操作は行われないとして否定の判別結果が得られた場合には、ステップＳ３１４によりＩＰＴＶ−ＥＰＧ画像の消去操作が行われたか否かを判別し、ここで肯定の判別結果が得られたのであれば、後述するステップＳ３１２に進み、否定の判別結果が得られたのであれば、ステップＳ３０９に進むようにされる。
一方、ステップＳ３０４にて、選択対象番組を変更する操作が行われたとして肯定の判別結果が得られた場合には、ステップＳ３０５に進む。
ステップＳ３０５では、例えばＣＰＵ１３がＲＡＭ１６に保持させているとされる、現在における選択対象番組を示す情報の更新を行う。つまり、上記ステップＳ３０４により判別された操作に応じた、選択対象番組についての変更設定を行う。また、これとともに、ＩＰＴＶ−ＥＰＧ画像については、変更設定された選択対象番組が選択中にあることが示されるようにして表示制御を行うようにされる。
【００９６】
続いて、ステップＳ３０６においては、この選択対象番組が、現在において、表示再生処理系により受信・再生処理が行われているチャンネルのものであるか否かについて判別する。ここで肯定の判別結果が得られた場合には、選択対象番組は、既に表示再生処理系により受信・再生処理を実行中であるために、新たに、非表示再生処理系により受信・再生処理を開始させる必要はない。そこで、この場合には、ステップＳ３０７、Ｓ３０８の手順をスキップしてステップＳ３０９に進む。
これに対してステップＳ３０６にて否定の判別結果が得られた場合には、ステップＳ３０７に進むようにされる。
【００９７】
ステップＳ３０７においては、この新たに選択対象番組とされた番組(コンテンツ)のデータの送信をＩＰＴＶサーバに要求するともに、この要求に応答して送信されてくるデータを受信取得するための制御処理を開始する。つまり、ＩＰＴＶ受信装置１００のＣＰＵ１３は、ネットワークインターフェイス２１からネットワーク経由で、上記選択対象番組とされた番組(コンテンツ)のデータについての送信要求(コンテンツ送信要求)を送信する。ＩＰＴＶサーバでは、このコンテンツ送信要求を受信すると、要求された番組のデータの送信を、要求元のＩＰＴＶ受信装置１００に対して開始するようにされる。ＩＰＴＶ受信装置１００では、送信されてくる番組のデータをネットワークインターフェイス２１により受信して、例えば前述したようにＴＳに相当する形式により出力するようにされる。
そして、これとともに、ステップＳ３０８により、上記のようにして得られたＴＳ形式相当の番組のデータを非表示再生処理系により入力させるとともに、待機再生処理を開始させる。
【００９８】
次のステップＳ３１０においては、ＩＰＴＶ−ＥＰＧ画像に対する操作として、現在の選択対象番組を決定するための操作（番組決定操作）が行われたか否かを判別し、番組決定操作が行われていなければステップＳ３０４に戻るようにされる。これに対して、ステップＳ３０９においてチャンネル決定操作が行われたとして肯定の判別結果が得られた場合には、ステップＳ３１０に進むようにされる。
【００９９】
ステップＳ３１０においては、上記ステップＳ３０８に対応する番組決定操作により決定された番組のチャンネルは、現在において表示再生処理系により受信・再生処理を行っているか否かについての判別を行うようにされる。
先ず、ステップＳ３１０において肯定の判別結果が得られた場合には、ステップＳ３１２により、非表示再生処理系に対する電源供給を停止するとともに、ステップＳ３１４により、ＩＰＴＶ−ＥＰＧ画像を消去するようにされる。このＩＰＴＶ−ＥＰＧ画像の消去に伴い、映像信号処理回路１１は、映像デコーダ８から入力されるビデオ信号の画像を表示部２６の表示画面部３０に表示させるように制御する。これにより、今回のＩＰＴＶ−ＥＰＧ画像を表示させる直前まで表示させていた番組の画像を、再度、主画像として表示させるようにされる。なお、ステップＳ３１４にて肯定の判別結果が得られてステップＳ３１２、Ｓ３１３の手順を実行した場合にも、上記と同様にして、今回のＩＰＴＶ−ＥＰＧ画像表示前の状態に戻る。
【０１００】
一方、ステップＳ３１０において否定の判別結果が得られた場合には、ステップＳ３１１に進む。ステップＳ３１１に至った場合、今回の番組決定操作により決定された番組のチャンネルは、非表示再生処理系により再生処理を実行中であることになる。そこで、この場合には、ステップＳ３１１により、図３のステップＳ１１０と同様にして、表示再生処理系と非表示再生処理系とについての交替処理を実行する。そのうえで、ステップＳ３１２、Ｓ３１３の手順を実行する。
【０１０１】
ＩＰＴＶ受信装置１００の場合には、デマルチプレクサ６ａ、６ｂによる番組のデータについてのデマルチプレクス処理による処理時間のほか、番組データの送信要求をＩＰＴＶサーバに送信してから、これに応答したＩＰＴＶサーバによる番組のデータ送信が開始されるまでの時間と、この送信されてきたデータの受信取得開始するまでの時間などにも、相当の長さが必要になる。このために、例えば仮に、ＩＰＴＶ−ＥＰＧ画像上で視聴する番組の決定操作に応じてダウンロード要求を送信するように構成したとすれば、この番組決定操作に応じて番組が再生出力開始されるまでには、やはり相当の遅延が生じてしまうこととなって、ＩＰＴＶ−ＥＰＧ画像の操作感を損なうことになる。そこで、ＩＰＴＶ受信装置１００についても、これまでに説明したような構成を与えることとすれば、番組の決定操作に応答して迅速に再生出力が開始されることが可能となって有効である。
【０１０２】
なお、これまでの実施の形態では、待機再生処理として、チャンネル、番組などとしてのコンテンツの情報(信号・データ)を受信取得して、デマルチプレクス処理までの段階の処理を行うこととしている。しかし、待機再生処理として、どの段階までの処理とするのかについては、例えば実際に応じて適宜変更されて良い。実施の形態として示した図１のデジタル放送受信装置１についての一例としては、デコーダ系（映像デコーダ８、音声デコーダ９、字幕デコーダ１０）についても２系統を設けて、それぞれにデマルチプレクサ６ａ、６ｂにより分離抽出されたビデオ信号、オーディオ信号、及び字幕放送用データを入力させるようにし、このデコーダ系までの信号処理系を、第１受信再生処理系２３、第２受信再生処理系２４とするようにされる。そして、これらの第１受信再生処理系２３、第２受信再生処理系２４から出力されるデコード後のビデオ信号、オーディオ信号、及び字幕放送用データの何れか一方が、映像信号処理回路１１とＤ／Ａ変換器１２に対して入力されるようにするものである。
【０１０３】
また、これまでの実施の形態においては、受信再生処理系（あるいは再生処理系）を２系統備えることとしているが、３系統以上を設けることとしてもよい。このようにして３系統を設けることとした場合には、非表示受信再生処理系（非表示再生処理系）が複数系統設けられることになるのであるが、例えば１つの非表示受信再生処理系には、これまでの実施の形態と同様に選択対象チャンネル（選択対象番組）について待機再生処理を実行させ、残りの非表示受信再生処理系については、そのときの選択対象チャンネル（選択対象番組）に次いで将来的に選択決定される可能性が高いとされるチャンネル（番組）を所定の規則によって選択し、これらの選択されたチャンネル（番組）を対象として再生待機処理を実行させるようにすることが考えられる。
【０１０４】
また、コンテンツ送出源としては、第１、第２の実施の形態に対応する地上デジタル放送の送出システム、装置やＩＰＴＶサーバの他にも考えられるものである。例えば地上デジタル放送以外のデジタル又はアナログテレビジョン放送に対応する送出システム、装置の他、ラジオ放送なども考えることができる。
また、これに伴って、本願発明が適用される装置としては、所定の放送若しくはサーバなどを始めとするコンテンツの送出源から送出可能とされている複数のコンテンツから選択を行って、これを再生出力するようにされた装置であればよく、地上デジタル放送受信装置、ＩＰＴＶ受信装置などのみに限定されるべきものではない。
【図面の簡単な説明】
【０１０５】
【図１】本発明における第１の実施の形態となる、デジタル放送受信装置の構成例示すブロック図である。
【図２】第１の実施の形態のデジタル放送受信装置により表示される二軸式操作画面を利用したチャンネル選択・決定のための操作手順例を示す図である。
【図３】二軸式操作画面に対する番組の選択・決定操作に応じて、第１の実施の形態のデジタル放送受信装置が実行する処理手順例について示すフローチャートである。
【図４】第１の実施の形態のデジタル放送受信装置により表示されるＥＰＧ画像を利用したチャンネル選択・決定のための操作手順例を示す図である。
【図５】第１の実施の形態のデジタル放送受信装置により表示されるＥＰＧ画像を利用したチャンネル選択・決定のための操作手順例を示す図である。
【図６】ＥＰＧ画像に対する番組の選択・決定操作に応じて、第１の実施の形態のデジタル放送受信装置が実行する処理手順例について示すフローチャートである。
【図７】ＥＰＧ画像についての他の表示態様例を示す図である。
【図８】本願発明における第２の実施の形態となる、ＩＰＴＶ受信装置の構成例を示すブロック図である。
【図９】第２の実施の形態のＩＰＴＶ受信装置により表示されるＩＰＴＶ−ＥＰＧ画像を利用したチャンネル選択・決定のための操作手順例を示す図である。
【符号の説明】
【０１０６】
１  デジタル放送受信装置、２  アンテナ、３ａ・３ｂ  チューナ、４ａ・４ｂ  復調器、５ａ・５ｂ  デスクランブラ、６ａ・６ｂ  デマルチプレクサ、７ａ・７ｂ  バッファ、８  映像デコーダ、９  音声デコーダ、１０  字幕デコーダ、１１  映像信号処理回路、１２  Ｄ／Ａ変換器、１３  ＣＰＵ、１４  操作部、１５  受信部、１６  ＲＡＭ、１７  ＲＯＭ、１９  リモートコントローラ、２０  信号切り換え部、２０ａ、２０ｂ、２０ｃ  スイッチ部、２１  ネットワークＩ／Ｆ、２３  第１受信再生処理系、２４  第２受信再生処理系、２３Ａ  第１再生処理系、２４Ａ  第２再生処理系、２５  電源部、２６  表示部、２７  音声出力部、３０  表示画面部、３１  メニュー選択バー、３２  メニュー内項目バー、３３、４１  選択指示枠、４３  放送局・チャンネル表示領域、４４  現在日時表示領域、５０  番組画像表示領域、５１  ＥＰＧ表示領域、１００  ＩＰＴＶ受信装置
【図１】
2009005233.tif 000003
【図２】
2009005233.tif 000004
【図３】
2009005233.tif 000005
【図４】
2009005233.tif 000006
【図５】
2009005233.tif 000007
【図６】
2009005233.tif 000008
【図７】
2009005233.tif 000009
【図８】
2009005233.tif 000010
【図９】
2009005233.tif 000011